(57)【要約】【課題】書籍保持機能が優れ、しおり機能を備えたブックカバーを提供する。【解決手段】ブックカバーは、書籍１の表紙１１、背表紙１２及び裏表紙１３を覆い、書籍１を保護する。ブックカバー２は、長辺及び短辺によって矩形をなすブックカバー本体２０と、ブックカバー本体２０の短辺に延設され、表紙１１又は裏表紙１３の何れかの内側に折り返される折り返し部２１と、ブックカバー本体２０を挟んで折り返し部２１と対向して設けられ、表紙１１又は裏表紙１３の何れかが挿入される挿入部２２と、挿入部２２の一部を切り欠き、ブックカバー本体２０の短辺２ｂより延設されて書籍の中身に折り込まれるしおり２３と、挿入部２２をブックカバー本体２と対向して挟み込むブックカバー本体２０の長辺から延設される帯部２４とを備える。【選択図】      図１
2004299364.tif 000002
【特許請求の範囲】
【請求項１】
書籍を保護するブックカバーであって、
前記書籍の表紙、背表紙及び裏表紙を覆い、長辺及び短辺によって矩形をなすブックカバー本体と、
前記ブックカバー本体の前記短辺に延設され、前記表紙又は前記裏表紙の何れかの内側に折り返される折り返し部と、
前記ブックカバー本体を挟んで前記折り返し部と対向して設けられ、前記表紙又は前記裏表紙の何れかが挿入される挿入部と、
前記挿入部と前記ブックカバー本体との境界において、前記ブックカバー本体より延設されて前記書籍の中身に折り込まれるしおりと、
前記書籍を保持する機構と
を備えることを特徴とするブックカバー。
【請求項２】
前記書籍を保持する機構は、前記ブックカバー本体の向かい合った前記長辺からそれぞれ延設された切れ込み線を有する１対の帯突起を互いに嵌挿して構成される帯部であることを特徴とする請求項１に記載のブックカバー。
【請求項３】
前記書籍を保持する機構は、前記ブックカバー本体あるいは前記挿入部の向かい合った前記長辺の一部からそれぞれ延設され、内側に折り返されることにより書籍を保持する１対の羽根部であることを特徴とする請求項１に記載のブックカバー。
【請求項４】
前記書籍を保持する機構は、少なくとも２辺が前記ブックカバー本体に固定される、前記ブックカバー本体と別部材のポケット片であることを特徴とする請求項１に記載のブックカバー。
【請求項５】
前記ブックカバーの外周の一部に延設され、印刷物に綴じ込むための綴じ込み部を更に備えることを特徴とする請求項１〜４に記載のブックカバー。
【請求項６】
印刷物に挟み込むための台紙と一体化されていることを特徴とする請求項１〜４に記載のブックカバー。
【請求項７】
表面にメニューが印刷されていることを特徴とする請求項１〜４に記載のブックカバー。
【請求項８】
ハガキの形状に折りたたまれ、貼り合わされることを特徴とする請求項１〜４に記載のブックカバー。
【発明の詳細な説明】
【０００１】
【発明の属する技術分野】
本発明は、ブックカバー及びブックカバーの提供方法に関する。
【０００２】
【従来の技術】
従来、書籍購入時に書店でかけてくれるブックカバーは、単にブックカバーの両端に折り返し部があるだけである。このようなブックカバーは折り返し部が開きやすいので書籍から外れることがある。
【０００３】
これを解消するために、本がブックカバーから外れないようにブックカバーにシールをはりつけたものが知られている（例えば、特許文献１参照）。又、図１２に示すように、片方の折り返し部１２１をブックカバー本体１２０に固定して袋状の挿入部１２２としたブックカバー１０２もある。
【０００４】
又、書店のサービスとして、広告を兼ねたしおりを提供してくれるところがあるが、このしおりは紛失しがちなものである。これを解消するために、柔軟で、紙と粘着しやすく、かつ、剥がし易い材質であって繰り返し使える接着剤を塗布し、一端部を本の表紙の裏側に挟み込むように折り曲げ、他端部を本の任意の頁に挟み込んで、しおりとして利用できるように折り曲げるブックカバーが提案されている（例えば、特許文献２参照）。
【０００５】
又、ブックカバーとしおりを一体化したブックカバー、あるいは、ブックカバーにミシン目を入れてその一部を切り離して、しおりとするブックカバーが提案されている（例えば、特許文献３参照）。
【０００６】
あるいは、本の読みかけ部を簡単にマークすることのできるマーク部材を備えたブックカバーが提案されている（例えば、特許文献４参照）。
【０００７】
【特許文献１】
特開２００２−２６４５６２号公報（段落番号「００１５」、第４図）
【０００８】
【特許文献２】
特開２０００−２３３５８３号公報（段落番号「０００１」）
【０００９】
【特許文献３】
実開平６−８１７５７号公報（段落番号「０００４」）
【００１０】
【特許文献４】
実用新案登録第３０８６５５３号（段落番号「０００６」）
【００１１】
【発明が解決しようとする課題】
しかし、本が外れにくいブックカバーでは、しおりが別途必要になり、紛失のおそれがないしおりを備えたブックカバーでは、ブックカバーから本が外れやすいという難点が残ることになる。又、これらのブックカバーは、本屋の本購入時のサービスとしてかけられるものであり、その他の場所では手に入れることが困難であった。
【００１２】
上記の問題に鑑み、本発明は、書籍保持機能が優れ、しおり機能を備えたブックカバーを提供することを目的とする。又、本発明は、本屋に限らず、様々な場所でブックカバーを手に入れることができるブックカバー提供方法を提供することを目的とする。
【００１３】
【課題を解決するための手段】
上記目的を達成するため、本発明の第１の特徴は、書籍を保護するブックカバーであって、（イ）書籍の表紙、背表紙及び裏表紙を覆い、長辺及び短辺によって矩形をなすブックカバー本体と、（ロ）ブックカバー本体の短辺に延設され、表紙又は裏表紙の何れかの内側に折り返される折り返し部と、（ハ）ブックカバー本体を挟んで折り返し部と対向して設けられ、表紙又は裏表紙の何れかが挿入される挿入部と、（ニ）挿入部とブックカバー本体との境界において、ブックカバー本体より延設されて書籍の中身に折り込まれるしおりと、（ホ）書籍を保持する機構とを備えるブックカバーであることを要旨とする。
【００１４】
本発明の第１の特徴に係るブックカバーによると、書籍保持機能の強化が図れ、しおり機能を備えるため、しおりの紛失の防ぐことができる。
【００１５】
又、第１の特徴に係るブックカバーの書籍を保持する機構は、ブックカバー本体の向かい合った長辺からそれぞれ延設された切れ込み線を有する１対の帯突起を互いに嵌挿して構成される帯部であっても良い。このブックカバーによると、帯部により書籍の保持が強化できる。
【００１６】
又、第１の特徴に係るブックカバーの書籍を保持する機構は、ブックカバー本体あるいは挿入部の向かい合った長辺の一部からそれぞれ延設され、内側に折り返されることにより書籍を保持する１対の羽根部であっても良い。このブックカバーによると、羽根部により書籍の保持が強化できる。
【００１７】
又、第１の特徴に係るブックカバーの書籍を保持する機構は、少なくとも２辺がブックカバー本体に固定される、ブックカバー本体と別部材のポケット片であっても良い。このブックカバーによると、ポケット片により書籍の保持が強化できる。
【００１８】
又、第１の特徴に係るブックカバーの外周の一部に延設され、印刷物に綴じ込むための綴じ込み部を更に備えていても良い。ここで「印刷物」とは、新聞や雑誌など、不特定多数の者に配布可能な広告媒体をいう。又、第１の特徴に係るブックカバーは、印刷物に挟み込むための台紙と一体化されていても良い。一体化されたブックカバーは、ミシン目によって台紙から切り離される構造でも良く、静電シールなどによって台紙から剥離される構造でも良い。これらのブックカバーによると、本屋に限らず、雑誌などの広告媒体によってブックカバーを取得することができる。又、ブックカバー表面に印刷を施すと、印刷物の配布範囲内で、商品の宣伝効果が得られる。
【００１９】
又、第１の特徴に係るブックカバーの表面にメニューが印刷されていても良い。このブックカバーによると、メニューの書かれた紙面をブックカバーとして使用でき、店舗の宣伝効果にもつながる。
【００２０】
又、第１の特徴に係るブックカバーは、ハガキの形状に折りたたまれ、貼り合わされても良い。このブックカバーによると、郵送されたハガキをブックカバーとして使用でき、ブックカバー表面に印刷された商品などの宣伝効果にもつながる。
【００２１】
【発明の実施の形態】
次に、図面を参照して、本発明の実施の形態を説明する。以下の図面の記載において、同一又は類似の部分には同一又は類似の符号を付している。但し、図面は模式的なものであることに留意すべきである。
【００２２】
（第１の実施の形態）
本発明の第１の実施の形態に係るブックカバーは、図１に示すように、書籍１の表紙１１、背表紙１２及び裏表紙１３を覆い、書籍１を保護する。第１の実施の形態に係るブックカバー２は、長辺及び短辺によって矩形をなすブックカバー本体２０と、ブックカバー本体２０の短辺に延設され、表紙１１又は裏表紙１３の何れかの内側に折り返される折り返し部２１と、ブックカバー本体２０を挟んで折り返し部２１と対向して設けられ、表紙１１又は裏表紙１３の何れかが挿入される挿入部２２と、挿入部２２の一部を切り欠き、ブックカバー本体２０の短辺２ｂより延設されて書籍の中身に折り込まれるしおり２３と、挿入部２２をブックカバー本体２と対向して挟み込むブックカバー本体２０の長辺から延設される帯部２４とを備える。図１では、折り返し部２１が裏表紙１３の内側に折り返され、挿入部２２が表紙１１の内側に挿入されている。挿入部２２は帯部２４によって、書籍１の内側に押さえられるので、書籍１が挿入部２２から外れることがない。
【００２３】
図１に示すブックカバー２の組み立て方法について、図２を用いて説明する。
【００２４】
図２（ａ）に示すように、ブックカバー本体２０は、長辺２ａ及び短辺２ｂからなる矩形をなす。折り返し部２１は、ブックカバー本体２０の短辺２ｂに延設される。挿入部２２は、ブックカバー本体２０を挟んで折り返し部２１と対向した短辺２ｂに延設される。しおり２３は、挿入部２２とブックカバー本体２０との境界において、挿入部２２の一部を切り欠き、ブックカバー本体２０の一部に接続するように延設される。
【００２５】
又、帯部２４は、１対の帯突起２４ａ、２４ｂから構成される。帯突起２４ａ、２４ｂは、ブックカバー本体２０の向かい合った長辺２ａ、２ａからそれぞれ延設される。１対の帯突起２４ａ、２４ｂを互いに嵌挿して挿入部２２を押さえるための帯部２４となるよう、帯突起２４ａ、２４ｂそれぞれはブックカバー本体２０を挟んで対称位置に切れ込み線Ｓａ、Ｓｂを有している。
【００２６】
次に、図２（ｂ）では、挿入部２２はブックカバー本体２０の内側に向かって折り込まれている。このとき、しおり２３は折り込まれず、ブックカバー本体２０から延設された状態で保持される。又、１対の帯突起２４ａ、２４ｂの切れ込み線Ｓａ、Ｓｂを互いに嵌挿して挿入部２２を押さえるための帯部２４を構成する。
【００２７】
次に、図２（ｃ）では、ブックカバー本体２０と帯部２４の間に挿入部２２を折り込んでいる。このとき、しおり２３は、折り込まれず、ブックカバー本体２０から延設された状態で保持される。書籍を保持する挿入部２２が帯部２４によって押さえられるので、書籍がブックカバーから外れにくくなる。又、第１の実施の形態に係るブックカバー２は、この組み立て後の状態で頒布されても良く、図２（ａ）に示す展開した状態で頒布されても良い。
【００２８】
第１の実施の形態に係るブックカバー２には、図２（ａ）に示す一枚の型に切断された適度な張りを有する材料、例えば、紙、不職布、布、革、人工皮革、合成樹脂シート等の部材が採用されるが、紙が最も望ましい。紙としては、例えば、コート紙ベースで両面エンボス加工を施したものなどが用いられる。ブックカバーの材料として紙を用いる場合は、ブックカバーは、紙、塗工剤及び接着剤から構成される。塗工剤としては、一般に炭酸カルシウムやカオリン等の顔料が用いられ、接着剤としては、一般にコーンスターチ（澱粉）などが用いられる。又、紙などに印刷を施した後、その表面にニスをコーディングし、インク落ちを防ぐことが必要となる。ニスの成分としては、合成樹脂、植物油、アロマフリー系溶剤、耐摩擦剤、マンガン・コバルト錯体乾燥剤、添加剤などが含まれる。
【００２９】
又、第１の実施の形態に係るブックカバーでは、挿入部２２を切り欠いて構成されたしおり２３は、図３に示すように、書籍１を閉じる際は、読みかけのページに折り込まれる。一方、読書の際には、図２（ａ）のようにほぼ伸びた状態となり、紛失のおそれはない。しおり２３の形状は、図１では台形状で示したが、これに限らず、長方形でも楕円形でも構わない。
【００３０】
又、ブックカバー２の表面は、広告などの様々な印刷がなされても良い。ブックカバーに商品等の広告を施すことにより、商品等の宣伝効果につながる。又、美的な広告のデザインを印刷することにより、消費者の嗜好に合致したブックカバーを提供することができる。又、商品の広告に伴い、しおり２３の先端部の形状をその商品をかたどった形にしても構わない。例えば、ジュースの広告をブックカバー本体２０に印刷した場合、しおり２３の先端部をジュースの缶やビンの形状にすることが可能である。
【００３１】
ブックカバーの印刷には、通常印刷の他、ラミネート加工を行っても良い。あるいは、表面を強化するため、ブックカバー２の表面に、油・パラフィン・ゴム・合成樹脂等によるコーティングを行っても良い。その他、発泡印刷を施し、部分的に盛り上がった形状になるように加工しても良く、ラメ入りの加工を行っても構わない。その他、温度や光によって印刷が浮かび上がるような特殊印刷を行っても構わない。尚、印刷は、ブックカバー２の表面に限らず、両面に行っても良い。
【００３２】
更に、ブックカバー２の表面に香りを付ける加工を行っても良い。ブックカバー２表面に印刷した広告商品が香水であれば、その香水の香りをブックカバー２表面に付着させることにより、更なる宣伝効果が得られる。その他、化粧品等の香りを付着させても良い。香りの付着方法としては、香料を封入したカプセルを付着する、あるいは香料が含まれたインクによって印刷を行うなどの方法が使用可能である。
【００３３】
第１の実施の形態に係るブックカバーによると、帯部２４により書籍の保持が強化でき、しおり機能を備えているので、しおりの紛失を防ぐことができる。又、ブックカバー表面に印刷を施すことにより、商品の宣伝効果が得られる。
【００３４】
（第２の実施の形態）
本発明の第２の実施の形態に係るブックカバーは、第１の実施の形態で説明した帯部２４の代わりに、羽根部２５を備え、書籍の保持強化を図る。
【００３５】
第２の実施の形態に係るブックカバー２は、図４に示すように、長辺及び短辺によって矩形をなすブックカバー本体２０と、ブックカバー本体２０の短辺に延設され、書籍の表紙又は裏表紙の何れかの内側に折り返される折り返し部２１と、ブックカバー本体２０を挟んで折り返し部２１と対向して設けられ、表紙又は裏表紙の何れかが挿入される挿入部２２と、挿入部２２の一部を切り欠き、ブックカバー本体２０の短辺より延設されて書籍の中身に折り込まれるしおり２３と、ブックカバー本体２０及び挿入部２２の向かい合った長辺の一部からそれぞれ延設され、内側に折り返されることにより書籍を保持する羽根部２５とを備える。
【００３６】
第２の実施の形態に係るブックカバー２の組み立て方法について、図４を用いて説明する。
【００３７】
図４（ａ）に示すように、ブックカバー本体２０は、長辺及び短辺からなる矩形をなす。折り返し部２１は、ブックカバー本体２０の短辺に延設される。挿入部２２は、ブックカバー本体２０を挟んで折り返し部２１と対向した短辺に延設される。しおり２３は、挿入部２２とブックカバー本体２０との境界において、挿入部２２の一部を切り欠き、ブックカバー本体２０の一部に接続するように延設される。又、羽根部２５は、ブックカバー本体２０及び挿入部２２の長辺から延設され、ブックカバー本体２０から突出した形状で構成される。羽根部２５は、対をなし、ブックカバー本体２０及び挿入部２２を挟んで向かい合う。
【００３８】
次に、図４（ｂ）では、１対の羽根部２５がブックカバー本体２０及び挿入部２２の内側に向かって折り込まれている。書籍を保持する際は、折り込まれた羽根部２５とブックカバー本体２０及び挿入部２２の間に、書籍の表紙又は裏表紙を差し込んで保持することとなる。
【００３９】
次に、図４（ｃ）では、挿入部２２はブックカバー本体２０の内側に向かって折り込まれている。このとき、しおり２３は折り込まれず、ブックカバー本体２０から延設された状態で保持される。
【００４０】
図４（ｄ）は、組み立て後のブックカバーを示す。第２の実施の形態に係るブックカバー２は、この組み立て後の状態で頒布されても良く、図４（ａ）に示す展開した状態で頒布されても良い。
【００４１】
第２の実施の形態に係るブックカバーは、第１の実施の形態に係るブックカバーと同様の材料で構成される。又、ブックカバーの表面に印刷や香りの加工を行うことは、第１の実施の形態と同様であるので、ここでは説明を省略する。
【００４２】
第２の実施の形態に係るブックカバーによると、保持部２５により書籍の保持が強化でき、しおり機能を備えているので、しおりの紛失を防ぐことができる。又、ブックカバー表面に印刷を施すことにより、商品の宣伝効果が得られる。
【００４３】
（第３の実施の形態）
本発明の第３の実施の形態に係るブックカバーは、第１の実施の形態で説明した帯部２４の代わりに、挿入部２２にポケット片２２ｂを備え、書籍の保持強化を図る。
【００４４】
第３の実施の形態に係るブックカバー２は、図５（ａ）に示すように、長辺及び短辺によって矩形をなすブックカバー本体２０と、ブックカバー本体２０の短辺に延設され、書籍の表紙又は裏表紙の何れかの内側に折り返される折り返し部２１と、ブックカバー本体２０の長辺又は短辺より延設されて書籍の中身に折り込まれるしおり２３、２３’と、ブックカバー本体２０と切り離された別部材のポケット片２２ｂとを備える。ポケット片２２ｂは、図５（ｂ）に示すように、少なくともその２辺を縫合などによりブックカバー本体２０に固定される。ポケット片２２ｂを縫合することにより、挿入部２２が構成される。
【００４５】
又、しおりは、ブックカバー本体２０に対して、折り返し部２１と対向する位置にブックカバー本体２０から延設されても良く（しおり２３）、長辺２ａに対して直交する向きにブックカバー本体２０から延設されても良い（しおり２３’）。
【００４６】
ポケット片２２ｂとブックカバー本体２０の固定は、上述のような縫合が好適であるが、接着も可能であり、合成樹脂シートの場合には熱溶着等の方法も好適で、固定方法は公知のものから適宜選択される。
【００４７】
第３の実施の形態に係るブックカバーは、第１の実施の形態に係るブックカバーと同様の材料で構成される。又、ブックカバーの表面に印刷や香りの加工を行うことは、第１の実施の形態と同様であるので、ここでは説明を省略する。
【００４８】
第３の実施の形態に係るブックカバーによると、ポケット片２２ｂにより書籍の保持を強化でき、しおり機能を備えているので、しおりの紛失を防ぐことができる。又、ブックカバー表面に印刷を施すことにより、商品の宣伝効果が得られる。
【００４９】
（第４の実施の形態）
第１〜第３の実施の形態に係るブックカバーは、書店で販売時に付ける他、店舗の中、あるいは町中にラックを設置し、テイクフリーの形態で配布する。又、雑誌や新聞などの印刷物に綴じ込み、配布することも可能である。第２の実施の形態に係るブックカバー２を雑誌３０に綴じ込んだ状態を図６及び図７に示す。
【００５０】
ブックカバー本体２０の一部に綴じ込み部２６を設け、雑誌３０の中に綴じ込み部２６を綴じ込む。綴じ込み部２６は、ミシン目３１ａ、３１ｂにより、ブックカバー本体２０から切り離すことができる。図６及び図７では、綴じ込み部２６は、ブックカバーのブックカバー本体及び折り返し部に延設されているが、挿入部あるいは羽根部に延設されても構わない。
【００５１】
綴じ込み状態は、図６に示すように展開した状態でも構わず、図７に示すように、折りたたんだ状態でも構わない。この綴じ込み状態は、綴じ込む雑誌、新聞等の印刷物の大きさによって適宜選択できる。このように、綴じ込み部２６を設けることにより、印刷物とブックカバー２の切り離しが容易に行うことができるが、綴じ込み部２６を設けることなく、ブックカバー２を直接、印刷物に綴じ込んでも構わない。
【００５２】
又、図８に示すように、台紙３２と一体化したブックカバー２を新聞や広告、雑誌などの印刷物に挟み込むことにより、ブックカバーを配布しても良い。この台紙３２の大きさは、Ａ４版やＢ５版など、綴じ込む印刷物の大きさによって任意に選択することができる。図８に示すブックカバー２の外周は、ミシン目３１ｃによって台紙３２から切り離され、ブックカバー２として使用することができる。このように、ミシン目３１ｃによる切り離しの他に、台紙３２上にブックカバー２の外周に切り込みが入った静電シールを貼付する方法もある。この場合、台紙３２からブックカバー２を剥離して、使用することができる。
【００５３】
尚、しおり２３部分は、最初からブックカバーに切り込みが入っていても良く、ミシン目により使用者が切り離すようにしても良い。
【００５４】
図７及び図８では、第２の実施の形態に係るブックカバーを例にとり、説明したが、第１あるいは第３の実施の形態に係るブックカバーも同様に印刷物に綴じ込むことが可能である。
【００５５】
第４の実施の形態に係るブックカバーによると、本屋に限らず、雑誌などの広告媒体によってブックカバーを取得することができる。又、ブックカバー表面に印刷を施すと、印刷物の配布範囲内で、商品の宣伝効果が得られる。
【００５６】
（第５の実施の形態）
第１〜第３の実施の形態に係るブックカバーは、店頭のメニューとしても使用することができる。図９（ａ）は、第２の実施の形態に係るブックカバー２の展開図であり、図９（ｂ）に示すように、羽根部２５を折りたたみ、長方形の形状とする。ブックカバー２の表面には、メニューが印刷されている。このメニューは、飲食後に店舗から持ち帰ることが可能である。このメニューを取得した使用者は、ミシン目３１ｄを切り離し、しおり２３を形成し、図４に示す組み立て方法により、ブックカバー２として使用することが可能となる。
【００５７】
図９では、第２の実施の形態に係るブックカバーを例にとり、説明したが、第１あるいは第３の実施の形態に係るブックカバーも同様にメニューとして使用することが可能である。尚、ブックカバー本体２の片面に限らず、両面に印刷を施しても良い。印刷は縦方向でも横方向でも構わない。
【００５８】
第５の実施の形態に係るブックカバーによると、メニューの書かれた紙面をブックカバーとして使用でき、店舗の宣伝効果にもつながる。
【００５９】
（第６の実施の形態）
第１〜第３の実施の形態に係るブックカバーをハガキの寸法に折りたたみ、貼り合わせることにより、ハガキとして使用者に郵送することも可能である。この貼り合わせは、静電シール等をもちいて行うことにより、実現できる。ハガキを受け取った使用者は、ハガキの貼り合わせ部分を剥離ことにより、展開した状態のブックカバーを取得することができる。
【００６０】
このハガキ状のブックカバーは、ブックカバー表面に印刷された商品の広告主などの希望により、その商品の対象ユーザに限定して郵送することも可能である。
【００６１】
第６の実施の形態に係るブックカバーによると、郵送されたハガキをブックカバーとして使用でき、ブックカバー表面に印刷された商品などの宣伝効果にもつながる。
【００６２】
（第７の実施の形態）
第７の実施の形態では、インターネットにおける書籍等の商品の購入をした際に、第１〜第３の実施の形態に係るブックカバーを購入者の属性によって、商品と共に発送する方法について、図１０を用いて説明する。
【００６３】
（イ）まず、ステップＳ１０１において、購入者は、インターネットを介して、商品購入を行うＨＰなどにアクセスする。購入者は、購入する商品を選択し、購入手続を完了する。このとき、購入者は、ＨＰなどを運用する事業者サーバに対して、商品の発送先住所、氏名の他、性別、年齢、職業などを送信する。
【００６４】
（ロ）一方、事業者サーバは、所定の商品を購入した際、第１〜第３の実施の形態に係るブックカバーを送付する対象となる対象者の条件をデータベースとして保持する。データベースには、例えば、図１１に示すように、ある商品「書籍Ａ」を購入した際の対象者の条件は、「女性」、「２０代」、「東京都在住」と登録されている。商品の購入があった場合、Ｓ１０２において、事業者サーバは、購入者の条件を判別する。
【００６５】
（ハ）次に、事業者サーバは、ステップＳ１０３において、購入者の条件がデータベース上の対象者の条件と一致するか判断する。対象者である場合（例えば、図１１に示すデータベースが保持されている場合は、本Ａに対する購入があり、その購入者が女性、２０代、東京都在住である場合）、ステップＳ１０４に進み、第１〜第３の実施の形態に係るブックカバーを商品と同梱して、発送する。このとき、同梱されるブックカバーは購入商品と関連のある広告が印刷されていることが望ましい。一方、対象者でない場合は、ステップＳ１０５に進み、通常の商品のみの発送とする。
【００６６】
データベースに登録される対象者の条件は、例えば、ブックカバーに印刷された商品の広告主が、指定することができる。第７の実施の形態に係るブックカバー提供方法によると、その商品のターゲットとなる対象範囲を絞ってブックカバーを提供することにより、商品の効率的な宣伝が可能になる。又、発送されるブックカバーは、書籍保持機能が優れ、しおり機能を備えたものである。
【００６７】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００６８】
例えば、本発明の実施の形態において、挿入部２２、折り込み部２１、あるいはしおり２３の形状は、図に示したものに限らず、書籍を保持する機能、しおり機能を備えれば、その変形は適宜選択可能である。
【００６９】
又、第１〜第３の実施の形態に係るブックカバーにおいて、挿入部２２側にしおり２３を備えるが、折り返し部２１に備えても構わないことは勿論である。
【００７０】
又、第４〜第７の実施の形態において、第１〜第３の実施の形態に係るブックカバーの配布方法について説明したが、その他、本を読む場所、例えばブックアンドカフェや図書館へブックカバーを設置しても構わない。又、商品のキャンペーンとして、応募者全員に第１〜第３の実施の形態に係るブックカバーをプレゼントしても構わない。
【００７１】
このように、本発明はここでは記載していない様々な実施の形態等を含むことは勿論である。従って、本発明の技術的範囲は上記の説明から妥当な特許請求の範囲に係る発明特定事項によってのみ定められるものである。
【００７２】
【発明の効果】
本発明によると、書籍保持機能が優れ、しおり機能を備えたブックカバーを提供することができる。又、本発明によると、本屋に限らず、様々な場所でブックカバーを手に入れることができる。
【図面の簡単な説明】
【図１】第１の実施の形態に係るブックカバーの使用例を説明する図である。
【図２】（ａ）は、第１の実施の形態に係るブックカバーの展開図、（ｂ）は、組み立て図、（ｃ）は、内側から見た完成図である。
【図３】第１の実施の形態に係るブックカバーのしおりの使用例を説明する図である。
【図４】（ａ）は、第２の実施の形態に係るブックカバーの展開図、（ｂ）、（ｃ）は、組み立て図、（ｄ）は、内側から見た完成図である。
【図５】（ａ）は、第３の実施の形態に係るブックカバーの展開図、（ｂ）は、挿入部を取り付けた図である。
【図６】第４の実施の形態に係る雑誌に綴じ込まれたブックカバーを示す模式図である（その１）。
【図７】第４の実施の形態に係る雑誌に綴じ込まれたブックカバーを示す模式図である（その２）。
【図８】第４の実施の形態に係る台紙に取り付けられたブックカバーを示す模式図である。
【図９】第５の実施の形態に係るブックカバーを示す模式図である。
【図１０】第７の実施の形態に係るブックカバーの提供方法を示すフローチャートである。
【図１１】第７の実施の形態に係る事業者サーバが保持するデータベースの例である。
【図１２】従来のブックカバーを説明する図である。
【符号の説明】
１  書籍
２、１０２  ブックカバー
２ａ  長辺
２ｂ  短辺
１１  表紙
１２  背表紙
１３  裏表紙
２０、１２０  ブックカバー本体
２１、１２１  折り返し部
２２、１２２  挿入部
２２ｂ  ポケット片
２３  しおり
２４  帯部
２４ａ、２４ｂ  帯突起
Ｓａ、Ｓｂ  切れ込み線
２５  羽根部
２６  綴じ込み部
３０  雑誌
３１ａ、３１ｂ、３１ｃ、３１ｄ  ミシン目
３２  台紙
【図１】
2004299364.tif 000003
【図２】
2004299364.tif 000004
【図３】
2004299364.tif 000005
【図４】
2004299364.tif 000006
【図５】
2004299364.tif 000007
【図６】
2004299364.tif 000008
【図７】
2004299364.tif 000009
【図８】
2004299364.tif 000010
【図９】
2004299364.tif 000011
【図１０】
2004299364.tif 000012
【図１１】
2004299364.tif 000013
【図１２】
2004299364.tif 000014